(57)【特許請求の範囲】
【請求項１】
シート状の防漏体と前記防漏体の内面側に設けられた吸収体を備え、着用時に着用者の腹部に相対する前部と着用者のクロッチ部に相対するクロッチ相対部と着用者の背部に相対する後部において着用者の下半身に着用される吸収体製品において、
少なくとも着用時において着用者の前記クロッチ部に挟まれて押された前記吸収体が外壁に沿って変形することにより前記前部と前記後部を連絡する所定形状に折りたたみ賦型されたチャネル状の空隙部が前記クロッチ相対部に構成されるように、前記クロッチ相対部に両端が開放された筒型のガイドスペーサを取り付けたことを特徴とする吸収体製品。
【請求項２】
前記空隙部が前記前部と前記後部を連通させる方向に対して交叉する面において前記クロッチ相対部を切断した場合における前記吸収体製品の形状が、
前記吸収体製品の内方に向けて凸形状とされた左右両側部の間において、前記空隙部の少なくとも前記前部側と前記後部側が前記吸収体製品の内方に向けて開放されている所定形状に成形されたことを特徴とする請求項１記載の吸収体製品。
【請求項３】
前記吸収体製品の前記クロッチ相対部が、着用前から予め前記所定形状に折りたたまれていることを特徴とする請求項２記載の吸収体製品。
【請求項４】
所定形状に折りたたみ賦型されたチャネル状の前記空隙部が、前記前部の前端から前記クロッチ相対部を経て前記後部の後端まで前記吸収体の全長に亘って連続した状態に構成されていることを特徴とする請求項３記載の吸収体製品。
【請求項５】
前記吸収体製品の前記クロッチ相対部が、着用前は前記所定形状が展開された状態にあり、着用時に前記所定形状に折りたたまれることを特徴とする請求項２記載の吸収体製品。
【請求項６】
少なくとも前記クロッチ相対部の前記吸収体が、シート上に固形高吸水性樹脂が保持された高吸水性複合シートである請求項１乃至５のいずれか一つに記載の吸収体製品。
【請求項７】
着用者の尿を前記クロッチ相対部の前記空隙部又は前記ガイドスペーサに導くガイドユニットを前記前部と前記クロッチ相対部の間に設けたことを特徴とする請求項１乃至６のいずれか一つに記載の吸収体製品。
【請求項８】
前記ガイドユニットの前端部が前記前部に結合され、同後端部が前記クロッチ相対部に結合されて前記空隙部に相対していることを特徴とする請求項７に記載の吸収体製品。
【請求項９】
前記前部と前記クロッチ相対部と前記後部にある前記吸収体の両側部に設けられた一対の液漏れ防止用の側部伸縮帯の左右開口部の間隔が、少なくとも着用時において前記クロッチ相対部で折りたたまれた吸収体の横幅とほぼ同等に設定されていることを特徴とする請求項１乃至８のいずれか一つに記載の吸収体製品。
【請求項１０】
前記一対の側部伸縮帯の前記間隔が前記前部に行くほど狭くなり、前記後部に行くほど広くなるように、前記一対の側部伸縮帯が、前記前部を上側とした平面視において前記前部を頂点とする逆Ｖ字形となるように配設されたことを特徴とする請求項９記載の吸収体製品。
【請求項１１】
前記一対の側部伸縮帯の各前端部が前記前部において交叉して配設されることにより、前記一対の側部伸縮帯の各前端部と前記前部にある前記吸収体との間に、着用者の尿が流入するポケットが構成されることを特徴とする請求項１０記載の吸収体製品。
【請求項１２】
前記前部と前記後部の間に、着用者の尿を収容する前記前部と便を収容する前記後部とを分割する分離セパレーターを設けたことを特徴とする請求項１乃至１０のいずれか一つに記載の吸収体製品。
【請求項１３】
前記前部に尿通過専用の開口と前記後部に便通過専用の開口をそれぞれ設けたことを特徴とする請求項１２記載の吸収体製品。
【発明の詳細な説明】
【技術分野】
【０００１】
本発明は、着用時に着用者のクロッチ部（両足の間の股下部）において不規則な変形をせず、所定の形状を維持するために尿が前部から後部に好適な状態で流れて吸収体が有効に利用される吸収体製品に関するものである。
【背景技術】
【０００２】
小児用もしくは成人用のオムツのような吸収体製品は、一般に腰部の両脇で分離されて平らに展開でき、装着時に後側腰部と前側腰部とをテープで取り外し可能に連結する形式のテープ型と、ウェストホール部および２つのレッグホールを形成したパンツの形態のテープレス型とに大別される。いずれのタイプの吸収体製品であっても、シート状の防漏体の内面側に吸収体を設けた本体を有しており、この本体が着用者の腹部に相対する前部とクロッチ部に相対するクロッチ相対部と背部に相対する後部とに当てられて前記基本形態を構成し、着用者の下半身に着用されるようになっている点は共通している。
【０００３】
上記吸収体製品においては、着用した吸収体製品内に排出された尿を、吸収体を十分に活用して確実に吸収することにより漏出を防ぎ、また排泄された大便が着用者の股間部や臀部に付着しないようにする等、吸収体としての機能を十全に発揮させるとともに吸収体製品としての利便性を一層向上させるため、下記特許文献１乃至５に開示されるように各種の発明が提案されている。
【特許文献１】特開平０５−２８５１６８号公報
【特許文献２】特開平０５−３４５００３号公報
【特許文献３】特開２００６−１１６１５７号公報
【特許文献４】特開２００６−１７４９６６号公報
【特許文献５】ＰＣＴ／ＪＰ２００６／３２６２７２号公報
【発明の開示】
【発明が解決しようとする課題】
【０００４】
しかしながら、従来の吸収体製品には、以下に説明するような問題点があったため、吸収体製品が有している吸収体の全量が必ずしも十分に利用されておらず、このため上記特許文献において開示されている吸収体としての機能を十全に発揮させための構造は、実際には十分に機能を発揮していなかった。
【０００５】
図２９（ａ）は、従来のテープ型の吸収体製品の着用前の平面図であり、同図（ｂ）はその着用時の変形状態を示す平面図である。この吸収体製品は、シート状の防漏体の内面側に吸収体を設けたものであり、図２９（ｂ）に示すように、その使用前の展開形状は、着用時に着用者の腹部に相対する前部と、クロッチ部に相対するクロッチ相対部と、背部に相対する後部とが連続しており、図２９（ａ）に示すように着用時に脚部に相当する両側部には凹部が設けられている。また、凹部の内側にはレッグギャザーが設けられ、吸収体に沿ってスタンディングギャザーが設けられている。
【０００６】
本願発明者の実験に基づく知見によれば、このような吸収体製品を着用した場合、クロッチ相対部は図２９（ｂ）に示すように変形して横幅方向で最も狭い部位となるが、この変形は規則的なものではなく、着用者の体型や着用の仕方等、種々の条件によって予測し難い種々の変形を生じるものであって、その形態によっては着用者へのフィッティング状態や、前部から後部への液の移動性に大きく影響し、場合によっては特に横臥位における漏れの原因となる等、吸収体製品の機能発揮に密接な関係があるものと考えられる。
【０００７】
子ども用おむつ、大人用おむつ、女性用生理用品等の吸収体製品においては、着用者の尿排出口、膣口、肛門のいずれの部位も、着用された吸収体製品の狭窄部分であるクロッチ相対部およびその付近に集中している。したがって図２９（ｂ）に示すように、吸収体製品を着用してクロッチ相対部の製品形状が大きく変わってきた場合には、当該吸収体製品の機能が発揮されるためには、まずこのクロッチ相対部の着用状態における構造・形状が吸収体製品としての機能を損なわないようなものとなっている必要があると考えられる。
【０００８】
そこで、本願発明者は、吸収体製品のクロッチ相対部が人体のクロッチ部にスムーズに装着され、クロッチ相対部を挟む前部および後部において吸収体の機能が十分に発揮されるためには、装着時にクロッチ相対部の吸収体自体が、吸収体製品のクロッチ相対部として好ましいある特定の形状に確実に変形できるようにすること（又は特定の形状であること）が必要であると考えるに至った。このようにすれば、受容した液体が、圧縮されて変形したクロッチ相対部でブロックされて止まることがなく、前部から後部にスムーズに移動するので吸収体による液の受容が確実になり、前部および後部の吸収体を残すことなく十分に利用することが可能になると考えられるからである。
【０００９】
本発明は、本願発明者が新たに認識した上記課題を解決するためになされたものであり、着用状態において、クロッチ相対部が吸収体製品として好ましいある特定の形状となっており、受容した液体がクロッチ相対部で止まることなく前部から後部にスムーズに移動して吸収されるような吸収体製品を提供することを目的としている。
【課題を解決するための手段】
【００１０】
本発明の吸収体製品は、クロッチ相対部における吸収体の構造が、少なくとも着用時において所定の望ましい形状・構造となることにより、吸収体物品の液の受容を確実にするとともに、前部から後部への液の移動をスムーズにするものとされている。そして、クロッチ相対部に対する特定構造の賦与方法については、着用前にあらかじめ所定の構造・形状となるように成形しておいてもよいし、着用前には展開された状態にあるが着用することにより所定の構造・形状に折りたたまれるようにしてもよい。
【００１１】
また、吸収体製品のクロッチ相対部に特殊な構造を与えて液の前後移動を確保するには、クロッチ相対部の吸収体が液を吸収して膨張した場合にも上記構造が崩れない必要がある。そのためには、吸水材料である固形高吸水性樹脂が移動しにくい構造とされた吸収体を使用する必要がある。たとえば、不織布基材シート上に固形高吸水性樹脂（固形ＳＡＰ）の粒子を一部が包持されるとともに一部が露出するように配置して、その上からホットメルト樹脂等からなる繊維状ネットワークを設けて前記粒子を保持した構造の高吸水性複合シート等は、固形ＳＡＰの粒子が水分を吸収しても繊維状ネットワークで覆われているために移動しにくいので、本発明に使用する吸収体として適している。
【００１２】
以下、本発明の吸収体製品の構造を、各請求項に記載した発明ごとに説明する。
請求項１に記載された吸収体製品は、
シート状の防漏体と前記防漏体の内面側に設けられた吸収体を備え、着用時に着用者の腹部に相対する前部と着用者のクロッチ部に相対するクロッチ相対部と着用者の背部に相対する後部において着用者の下半身に着用される吸収体製品において、
少なくとも着用時において着用者の前記クロッチ部に挟まれて押された前記吸収体が外壁に沿って変形することにより前記前部と前記後部を連絡する所定形状に折りたたみ賦型されたチャネル状の空隙部が前記クロッチ相対部に構成されるように、前記クロッチ相対部に両端が開放された筒型のガイドスペーサを取り付けたことを特徴としている。
【００１３】
請求項２に記載された吸収体製品は、請求項１記載の吸収体製品において、
前記空隙部が前記前部と前記後部を連通させる方向に対して交叉する面において前記クロッチ相対部を切断した場合における前記吸収体製品の形状が、
前記吸収体製品の内方に向けて凸形状とされた左右両側部の間において、前記空隙部の少なくとも前記前部側と前記後部側が前記吸収体製品の内方に向けて開放されている所定形状に成形されたことを特徴としている。
【００１４】
請求項３に記載された吸収体製品は、請求項２記載の吸収体製品において、
前記吸収体製品の前記クロッチ相対部が、着用前から予め前記所定形状に折りたたまれていることを特徴としている。
【００１５】
請求項４に記載された吸収体製品は、請求項３記載の吸収体製品において、
所定形状に折りたたみ賦型されたチャネル状の前記空隙部が、前記前部の前端から前記クロッチ相対部を経て前記後部の後端まで前記吸収体の全長に亘って連続した状態に構成されていることを特徴としている。
【００１６】
請求項５に記載された吸収体製品は、請求項２記載の吸収体製品において、
前記吸収体製品の前記クロッチ相対部が、着用前は前記所定形状が展開された状態にあり、着用時に前記所定形状に折りたたまれることを特徴としている。
【００１７】
請求項６に記載された吸収体製品は、請求項１乃至５のいずれか一つに記載の吸収体製品において、
少なくとも前記クロッチ相対部の前記吸収体が、シート上に固形高吸水性樹脂が保持された高吸水性複合シートであることを特徴としている。
【００１８】
請求項７に記載された吸収体製品は、請求項１乃至６のいずれか一つに記載の吸収体製品において、
着用者の尿を前記クロッチ相対部の前記空隙部又は前記ガイドスペーサに導くガイドユニットを前記前部と前記クロッチ相対部の間に設けたことを特徴としている。
【００１９】
請求項８に記載された吸収体製品は、請求項７に記載の吸収体製品において、
前記ガイドユニットの前端部が前記前部に結合され、同後端部が前記クロッチ相対部に結合されて前記空隙部に相対していることを特徴としている。
【００２０】
請求項９に記載された吸収体製品は、請求項１乃至８のいずれか一つに記載の吸収体製品において、
前記前部と前記クロッチ相対部と前記後部にある前記吸収体の両側部に設けられた一対の液漏れ防止用の側部伸縮帯の間隔が、少なくとも着用時において前記クロッチ相対部の前記空隙部が開口している開口幅と同等に設定されていることを特徴としている。
【００２１】
請求項１０に記載された吸収体製品は、請求項９記載の吸収体製品において、
前記一対の側部伸縮帯の前記間隔が前記前部に行くほど狭くなり、前記後部に行くほど広くなるように、前記一対の側部伸縮帯が、前記前部を上側とした平面視において前記前部を頂点とする逆Ｖ字形となるように配設されたことを特徴としている。
【００２２】
請求項１１に記載された吸収体製品は、請求項１０記載の吸収体製品において、
前記一対の側部伸縮帯の各前端部が前記前部において交叉して配設されることにより、前記一対の側部伸縮帯の各前端部と前記前部にある前記吸収体との間に、着用者の尿が流入するポケットが構成されることを特徴としている。
【００２３】
請求項１２に記載された吸収体製品は、請求項１乃至１１のいずれか一つに記載の吸収体製品において、
前記前部と前記後部の間に、着用者の尿を収容する前記前部と便を収容する前記後部とを分割する分離セパレーターを設けたことを特徴としている。
【００２４】
請求項１３に記載された吸収体製品は、請求項１２記載の吸収体製品において、
前記前部に尿通過専用の開口と前記後部に便通過専用の開口をそれぞれ設けたことを特徴としている。
【発明の効果】
【００２５】
請求項１に記載された吸収体製品によれば、クロッチ相対部に両端が開放された筒型のガイドスペーサを取り付けているので、クロッチ相対部の吸収体は、少なくとも着用時にはこのガイドスペーサの外壁に沿って変形することにより前記前部と前記後部を空隙部で連絡する形状・構造となるので、着用者が排出した尿等の液体はクロッチ相対部で止まることなく液の通りがよい空隙部を経て前部から後部へスムーズに移動することができる。このため、前部および後部の吸収体を残すことなく十分に利用することが可能になる。さらに、クロッチ相対部の空隙部に設けられたガイドスペーサが前部と後部を連通させているので、着用者が前部に排出した尿等の液体はクロッチ相対部で止まることなく確実にガイドスペーサを通過して後部へ移動できる。このため、横方向に尿が漏れることがなく、前部および後部の吸収体を残すことなく十分に利用する作用が一層確実に得られる。
【００２６】
請求項２に記載された吸収体製品によれば、着用時のクロッチ相対部には、凸形状の左右両側部によって空隙部が区画され、この空隙部は前部側と後部側が内方に向けて開放されている。
【００２７】
請求項３に記載された吸収体製品によれば、吸収体製品のクロッチ相対部は着用前から所定形状に折りたたまれているので、着用すると所定形状でクロッチ部に相対する。
【００２８】
請求項４に記載された吸収体製品によれば、所定形状に折りたたみ賦型されたチャネル状の前記空隙部が、前部からクロッチ相対部を経て後部まで吸収体の全長に亘って連続しているので、着用者が前部に排出した尿等の液体は前部で空隙部に入ってクロッチ相対部から後部へスムーズに移動でき、すべての吸収体を残すことなく十分に利用できる効果が一層高まる。
【００２９】
請求項５に記載された吸収体製品によれば、吸収体製品のクロッチ相対部は着用前は前所定形状が展開された状態にあるが、着用時には所定形状に折りたたまれてクロッチ部に相対する。
【００３０】
請求項６に記載された吸収体製品によれば、少なくともクロッチ相対部の吸収体が、シート上に固形高吸水性樹脂が保持された高吸水性複合シートであるため、液を吸収して膨張した場合にも固形高吸水性樹脂が移動しにくく、クロッチ相対部の特殊な構造が崩れないため、前記構造による液の前後移動を確保することができる。
【００３１】
請求項７に記載された吸収体製品によれば、前部とクロッチ相対部の間に設けたガイドユニットが、着用者が前部に排出した尿等の液体をクロッチ相対部の空隙部又はガイドスペーサに導くので、着用者が前部に排出した尿等の液体を後部へ移動させる作用が一層確実になり、このため、前部および後部の吸収体を残すことなく十分に利用する作用も一層確実に得られる。
【００３２】
請求項８に記載された吸収体製品によれば、ガイドユニットの前端部が前部に結合され、同後端部がクロッチ相対部に結合されて空隙部に相対しているので、着用者が前部に排出した尿等の液体を空隙部を介して後部へ移動させる作用が一層確実になる。
【００３３】
請求項９に記載された吸収体製品によれば、前部とクロッチ相対部と後部にある吸収体の両側部に一対の液漏れ防止用の側部伸縮帯を設け、その間隔を着用時のクロッチ相対部の空隙部の開口幅と同等に設定したので、着用時においても、クロッチ相対部に流入した尿等が外に漏れるおそれが少ない。
【００３４】
請求項１０に記載された吸収体製品によれば、前部には間隔が比較的狭く設定された一対の側部伸縮帯の間に尿が流れ込む空間が構成され、クロッチ相対部は一対の側部伸縮帯によって囲まれて前部の空間から流入した尿等が外に漏れないように区画している。
【００３５】
請求項１１に記載された吸収体製品によれば、交叉して配設された一対の側部伸縮帯の各前端部と前部の吸収体との間にポケットが構成されているので、着用者の尿が前方側において漏れるおそれが少ない。
【００３６】
請求項１２に記載された吸収体製品によれば、分離セパレータによって着用者の尿と便を区分して収容することができる。
【００３７】
請求項１３に記載された吸収体製品によれば、前部に排出された尿は尿通過専用の開口から分離セパレータで分離された前部の吸収体に吸収され、後部に排出された便は便通過専用の開口から分離セパレータで分離された後部の吸収体の上に保持される。
【発明を実施するための最良の形態】
【００３８】
次に、本願発明における最良の実施形態（以下本例とも呼ぶ）を説明する。
なお、実施形態は種々のバリエーションを含んでいるが、図面中に表した実施形態の構成要素に付す符号は、バリエーションの相違に係わらず、発明の構成要素として実質的に同等の場合は原則的として同一の符号を付し、発明の種々の形態を統一的に説明するとともに必要に応じて先にした説明を適宜援用することにより、参照符号の区別による煩雑を避けることとした。
【００３９】
１．本願発明者が行った実験について
先に「発明が解決しようとする課題」の項において、吸収体製品を着用した場合、クロッチ相対部が予測し難い不規則な変形を生じ、これが吸収体製品の前部から後部へかけての液の移動性に大きな影響を与えるとの認識を示した。本項においては、本願発明者がかかる認識を得て本願発明の新たな課題に至る契機となり、また吸収体製品のクロッチ相対部に必要とされる形状・構造についての知見を得る契機ともなった実験について簡単に説明する。
【００４０】
表１は、従来の吸収体製品を着用した場合に、クロッチ相対部の変形によって影響を受ける吸収体製品の構造要素について検討し、一覧としたものである。ここに列記した吸収体製品の構造要素の中で、特に影響を受けやすく、また吸収体製品としての機能発揮に大きく影響するのは、吸収体の変形と、側部伸縮帯（たとえばスタンディングギャザー、インナーギャザー、レッグギャザー等と呼称される）の位置の偏位である。
【００４１】
【表１】
0005142014.tif 000002
【００４２】
以下に説明する実験では、クロッチ相対部の吸収体を実際に着用した場合を模して人為的に変形させ、これを傾斜させた状態に設置して上方から液体を流し、変形したクロッチ相対部での液の移動性を評価するという手法を採用した。
【００４３】
(1) 準備するもの
・吸収体製品としてのテープ式おむつ（図１）
・クロッチ相対部固定用バネ止め式クリップ（図２）
・傾斜試料台
中央上部が４５度、下部が３０度の傾斜に設定された台（図３）
・定量ポンプ
流速７ｍＬ／ｓｅｃ、流量５０ｍＬ／回
・０．９％生理食塩水、ストップウォッチ等
【００４４】
(2) 試験手順
1)試料吸収体製品（おむつ）の長手方向中央を基点に、腹部３０ｍｍの長さまでをクロッチ相対部と想定し、５０ｍｍ離れた点を液注入点とする（図１参照）。
2)クロッチ相対部の吸収体が所定の形状になるように、クロッチ相対部をクリップ（図２参照）で挟み、おむつの幅方向を変形させる。
3)おむつの腹部および背部を平らに広げ、スタンディングギャザーは立ち上げた状態でクリップ内に収める。
4)傾斜試料台（図３参照）の４５度の上側の傾斜面に液注入点を設置し、傾斜試料台上におむつを設置する。おむつの配置は以下の通りとする。すなわち、おむつの腹部（前部）を上とし、背部（後部）を下とし、３０度の下側の傾斜面の最上部にクロッチ相対部が位置するようにおむつを上記傾斜試料台上に上向きに置く。なお腹部、背部は広げた状態にして止める（傾斜試料台のクリップが当たる部分の面はくり抜いておく必要がある。）
5)液注入点の上から０．９％生理食塩水５０ｍＬを７ｍＬ／ｓｅｃの流速で落下注入する。この時、液注入管の先端（内径２〜６ｍｍφ）は試料表面より１０ｍｍ程度離す。
6)液の注入開始からおむつに吸収されるまでの時間と、腹部および背部への拡散距離    を計測する。
7)上記5)〜6)の操作を５分間隔で３回繰り返す。
8)クロッチ幅の設定はクリップの先端にストッパーを挟持させることによって図４（ａ）〜（ｄ）の条件で変化させる。
【００４５】
実際に吸収体製品を着用するとクロッチ相対部は種々の変形を見せ、一見ランダムに変形しているようであるが、吸収体の幅、吸収体の厚さ、吸収体が一層の場合、あるいは吸収体が折りたたまれている等、吸収体の変形のし易さや性状によって、たとえば図５に示すようにａ〜ｄの４パターンに分類でき、それを折り込みのある吸収体に応用するとｅ〜ｈのような例が得られる。
【００４６】
そして、これら種々のパターンで変形するクロッチ相対部を試料をクリップで挟むことにより再現し、備えた各種試料に対して上記実験を行い、実験結果を踏まえてクロッチ相対部に於ける吸収体の望ましい変形状態とその寸法（サイズ）について考察した。その結果、液の注入開始からおむつに吸収されるまでの時間と、腹部および背部への拡散距離の数値等から見て、前部から後部への液の移動を阻害せず、前部および後部の吸収体が有効に使用される望ましい吸収体の変形状態（クロッチ相対部の変形形状）は、図５のパターンにおいては、横幅方向の中央部がバックシート側（着用したおむつの外側）に膨らんで中央に空隙部を持つようなｂ乃至ｆのような谷型、あるいはｄ乃至ｈのＭ型であった。
【００４７】
ここでは、谷型とＭ型を異なる類型に属するものとして区別したが、これらは前部から後部への液の移動を阻害しない効果を共通して奏するものであり、その点において共通の形状・構造を有している。すなわち、図６に示すように、両型とも、前部と後部を結ぶ方向に直交する断面で見ると、吸収体製品の内方に向けて凸形状とされた左右両側部（山）１，１と、左右両側部１，１の間に吸収体製品の内方に向けて開口したチャネル状の空隙部２とを有する点において共通している。
【００４８】
従って、谷型とＭ型の相違点は、左右両側部１，１の裾部３の有無あるいは長短の違いであり、いずれも左右両側部１，１の間にチャネル状の空隙部２が区画されている点では共通であり、本発明ではこのチャネル状の空隙部２の存在が重要であると考えられる。
【００４９】
以下においては、空隙部２を有するクロッチ相対部の種々の形状・構造例について説明し、さらに係るクロッチ相対部を有する吸収体製品としての具体的実施形態を説明する。
【００５０】
２．クロッチ相対部に設ける吸収体の各種形状例（図７および図８）
本発明の吸収体製品は、クロッチ相対部の吸収体が、予め所定の形状・構造に形付けられる（賦型される）ことにより、吸収体物品の液の受容を確実とし、さらに前部から後部への液の移動をスムーズにするものである。図７および図８は、吸収体製品の前部と後部を連通させる空隙部２に直交する面でクロッチ相対部を切断した場合の断面図であり、このようなクロッチ相対部の吸収体に与えられる所定形状の例を示すものである。
【００５１】
図７（ａ）は、吸収体製品の内方に向けて凸形状とされた左右両側部１，１の間に設けられて前部と後部を連通させている空隙部２が、吸収体製品の内方に向けて長手方向に沿って溝状に開放されている例である（開放型）。
【００５２】
図７（ｂ）は、吸収体製品の内方に向けて凸形状とされた左右両側部１，１がクロッチ相対部の中央部において接合されており（接合部４）、左右両側部１，１の間に設けられて前部と後部を連通させている空隙部２が、接合部４以外の前部および後部においては吸収体製品の内方に向けて開放されている例である（接合型）。
【００５３】
図８（ａ）は、図７（ａ）の開放型の空隙部２内にガイドスペーサ５を配置したものであり、図８（ｂ）は、図７（ｂ）の接合型の空隙部２内にガイドスペーサ５を配置したものである。ガイドスペーサ５は、両端が開放されたたとえば樹脂からなる円筒形の部材であり、空隙部２内に配置されて吸収体製品の内部の前部と後部をより確実に連通させるとともに、クロッチ相対部の変形や型くずれを防止する。すなわち、開放型や接合型では空隙部２が何らかの原因によって閉塞されてしまうことも全く考えられないことではないとしても、本例のようにある程度の剛性を有する管状の部材を空隙部２に配しておけば液体が前部から後部へ流通する経路が確保される。
【００５４】
なお、本例の吸収体製品のクロッチ相対部に特殊な構造を与えて液の前後移動を確保するには、クロッチ相対部の吸収体が液を吸収して膨張した場合にも、上記構造が崩れない必要がある。そのためには、吸水材料としての固形高吸水性樹脂が移動しにくい構造とされた吸収体を使用する必要がある。たとえば、不織布基材シート上に固形高吸水性樹脂（固形ＳＡＰ）の粒子を一部が包持されるとともに一部が露出するように配置して、その上からホットメルト樹脂等からなる繊維状ネットワークを設けて前記粒子を保持した構造の高吸水性複合シート、たとえばエアレイド法によるシート状吸収体（王子キノクロス製）、ＳＡＰコーティング法によるメガシン吸収体（日本吸収体技術研究所製）等は、固形ＳＡＰの粒子が水分を吸収しても繊維状ネットワークで覆われているために移動しにくいので、本発明に使用する吸収体として適している。
【００５５】
３．ガイドスペーサ５とその種類（図９）
図９には、クロッチ相対部の空隙部２に設けられる前記ガイドスペーサ５の種々の形態例を示した。図９（ａ）は折りたたんだ不織布シートである。同図（ｂ）は完全な円筒ではないが、概ね円筒形を呈するチューブ型に成形されたシートである。同図（ｃ）はコイル状に成形したシートである。同図（ｄ）は円筒形に成形したフィルムの外面側に不織布を設けた複合体である。同図（ｅ）は繊維束をさらに集束させて棒状としたトウ状マットである。同図（ｆ）は（ｂ）と同形のシート状吸収体の外面にＳＡＰを設けたもの、同図（ｇ）は（ｂ）と同形のシート状吸収体の内面にＳＡＰを設けたもの、同図（ｈ）は（ｂ）と同形のシート状フィルムの内面に芯材を設けた複合型である。
【００５６】
４．着用者のクロッチ部における側部伸縮帯と吸収体との位置関係について（図１０および図１１）
図１０に示すように、着用者の下半身に着用された本例の吸収体製品は、そのクロッチ相対部１０の吸収体１５が、その外側に設けられた防漏体（バックシート１６）と共に前述したＭ型を維持しており、その左右両側部１，１の上端縁が着用者の股下に接することにより排尿口と肛門が空隙部２の開口チャネルの前後延長位置かあるいは開口チャネルにほぼ接するように位置している。すなわち、空隙部２の開口の横幅をＸ１とし、着用者のクロッチ部の横幅をＸ２とすれば、図１０および図１１に示すように、Ｘ２＞Ｘ１となっており、Ｍ型の山部である左右両側部１，１が着用者のクロッチ部に安定して接し、排出される尿や便の移動を妨げないようになっている。また、図１０および図１１に示すように、空隙部２の開口の両外側にはそれぞれ側部伸縮帯１７が設けられ、そのギャザーヘッド１８は空隙部２の開口の外側において着用者のクロッチ部に接して液の漏洩を防止している。
【００５７】
５．吸収体製品におけるクロッチ相対部とその他の構成要素の配置関係等について（図１２および図１３）
図１２および図１３は、図７や図１０と同様の切断面における本例吸収体製品のクロッチ相対部１０における横断面図である。
図１２（ａ）は前記谷型の吸収体製品であり、同図（ｂ）は前記Ｍ型の吸収体製品であり、いずれも、吸収体製品の外面側となるシート状の防漏体であるバックシート１６と、吸収体製品の内面側となる液透過性のトップシート１９との間に吸収体１５が収納された基本構造を有しており、そのクロッチ相対部１０が吸収体製品の前部と後部を連通する空隙部２を備えた所定形状に成形されている。また、（ａ）、（ｂ）いずれの吸収体製品も、バックシート１６の側縁にはバックシート１６と一体にアウターギャザー２０が設けられており、バックシート１６の側縁の内側にはインナーギャザー２１が上方に立ち上げて設けられており、クロッチ相対部からの液の漏出を防止している。
【００５８】
図１３（ａ）は前記谷型の吸収体製品であり、同図（ｂ）は前記Ｍ型の吸収体製品であり、いずれも、吸収体製品の外面側となるシート状の防漏体であるバックシート１６と、吸収体製品の内面側となる液透過性のトップシート１９との間に吸収体１５が収納された基本構造を有しており、そのクロッチ相対部１０が吸収体製品の前部と後部を連通する空隙部２を備えた所定形状に成形されている。また、（ａ）、（ｂ）いずれの吸収体製品も、バックシート１６の側縁には長手方向に沿って側部伸縮帯１７が一体に設けられている。側部伸縮帯１７は、バックシート１６と共に前記空隙部２の区画する吸収体製品の構造体をなしているが、着用時には着用者の肌に接してクッションとして機能する他、図１２に示す吸収体製品における両ギャザー２０，２１と同様に液漏れ防止の機能も有する。
【００５９】
６．クロッチ相対部１０における所定形状・構造の賦与態様について（図１４および図１５）
以上説明した各例はクロッチ相対部１０が、前部と後部を連通する空隙部２を備えた所定形状に予め成形されているものであったが、本例の吸収体製品は、着用前のクロッチ相対部１０には空隙部２を備えた所定形状はないが、着用することにより前記所定形状になるものである。
図１４および図１５は、本例の吸収体製品の２つの構造例を示すものであり、図１２や図１３と同様の切断面におけるクロッチ相対部１０の横断面図を示している。
【００６０】
図１４（ａ）は第１の構造例における着用前の拡幅状態を示す断面図であり、同図（ｂ）は同着用時の折りたたみ状態を示す断面図である。図１４に示した構造例の吸収体製品は、外面側となるシート状の防漏体であるバックシート１６と、内面側となる液透過性のトップシート１９との間に吸収体１５が収納された基本構造を有しており、両側の各縁部にはそれぞれ側部伸縮帯１７が立ち上げられている。さらに、着用時にクロッチ相対部１０に吸収体製品の前部と後部を連通する空隙部２が形成された前記Ｍ型乃至谷型を呈するように、クロッチ相対部１０の内面側中央部に変形ガイド板２５が取り付けられている。この変形ガイド板２５は矩形であり、吸収体製品の前後方向（図中紙面垂直方向）に平行な２本の折り目２６により中央部２７と右側部２８と左側部２９の３つの矩形部分に分けられており、その中央部２７がトップシート１９に接合部３０において接合され、左右両側部２８，２９は２本の折り目２６，２６において揺動可能とされて内方に向けて折り曲げ可能となっている。
【００６１】
従って、図１４（ａ）に示すように、着用前はクロッチ相対部１０は横幅が最大の状態に拡幅された平坦状であり、変形ガイド板２５は左右両側部２８，２９が外方に開いた状態にあるが、これを着用すると図１４（ｂ）に示すようにクロッチ相対部１０の吸収体１５が内方へ圧縮されることになる。そして、変形ガイド板２５の左右両側部２８，２９は、吸収体１５に内方に押されて略三角形状に閉じた状態となり、変形ガイド板２５の左右両側部２８，２９を押す吸収体１５は、吸収体製品の内方に向けて凸形状となった左右両側部１，１となって、その間に変形ガイド板２５と協働して前後に連通する空隙部２を区画形成することとなる。この場合、略三角形に折りたたまれた変形ガイド板２５の内部空間も空隙部２として前後を連通させる。
【００６２】
図１５（ａ）は第２の構造例における着用前の拡幅状態を示す断面図であり、同図（ｂ）は同着用時の折りたたみ状態を示す断面図である。図１５に示した構造例の吸収体製品は、外面側となるシート状の防漏体であるバックシート１６と、内面側となる液透過性のトップシート１９との間に吸収体１５が収納された基本構造を有しており、両側の各縁部にはそれぞれ側部伸縮帯１７が設けられている。さらに、着用時にクロッチ相対部１０に吸収体製品の前部と後部を連通する空隙部２が形成された前記Ｍ型乃至谷型を呈するように、クロッチ相対部１０の内面側中央部に成形ガイド手段ともなるガイドスペーサ５が取り付けられている。このガイドスペーサ５は図８乃至図９を参照して先に説明したように、クロッチ相対部１０に設けられて吸収体製品の前後を連通することにより空隙部２を確保する部材であるとともに、それ自体がクロッチ部に挟まれて圧縮される吸収体１５の変形態様をガイドする部材でもある。すなわち、ガイドスペーサ５の中央部はクロッチ相対部１０の中央において接合部３０にてトップシート１９に接合されており、着用時に着用者のクロッチ部に挟まれて圧縮された吸収体１５は、ガイドスペーサ５の円周状の外壁に沿って横断面略円形に変形するので、その内部に空隙部２が確保される。
【００６３】
すなわち、図１５（ａ）に示すように、着用前はクロッチ相対部１０は横幅が最大の状態に拡幅された平坦状であるが、これを着用すると図１５（ｂ）に示すようにクロッチ相対部１０の吸収体１５が内方へ圧縮されることになり、押された吸収体１５はガイドスペーサ５の表面に沿って変形し、吸収体製品の内方に向けて凸形状となった左右両側部１，１となって、ガイドスペーサ５との間に前後に連通する空隙部２を区画形成することとなる。この場合、ガイドスペーサ５の内部空間も空隙部２となることは前述した通りである。
【００６４】
７．クロッチ相対部１０における所定形状・構造の賦与態様について（図１６〜図１８）
図１６〜図１８は、図１４で示したような変形ガイド板２５を有する吸収体製品のクロッチ相対部１０の寸法を含む具体的構造例を示す図であり、各図において分図（ａ），（ｂ）はそれぞれ平面図および横断面図である。
【００６５】
図１６に示す吸収体製品では、クロッチ相対部１０の内面側（トップシート１９）に設けられた変形ガイド板２５が、吸収体製品の前後方向に平行な２本のスリット３１で中央部２７と右側部２８と左側部２９の３つの矩形部分に分けられた板材である点は概ね図１４に示したものと同一であるが、その全面においてトップシート１９に接合されている点が図１４の場合と異なる。本構造によれば、着用時にクロッチ相対部１０が着用者のクロッチ部に挟まれて圧縮された場合、変形ガイド板２５の左右両側部２８，２９は中央部２７に対して２本のスリット３１，３１で曲げられ、クロッチ相対部１０は前記Ｍ型乃至谷型に変形して空隙部２が確保される。
【００６６】
図１７に示す吸収体製品は、図１４の構造と概ね同一であり、変形ガイド板２５の中央部２７がトップシート１９に接合され、右側部２８と左側部２９は未接合である。本構造によれば、着用時にクロッチ相対部１０が着用者のクロッチ部に挟まれて圧縮された場合、変形ガイド板２５の左右両側部２８，２９は中央部２７に対して２本のスリット３１，３１で曲げられ、クロッチ相対部１０は前記Ｍ型乃至谷型に変形して空隙部２が確保される。
【００６７】
図１８に示す吸収体製品では、クロッチ相対部１０の内面側（トップシート１９）に設けられた変形ガイド板２５は、図１４、図１６、および図１７に示した一体構造の変形ガイド板２５と異なる。この変形ガイド板２５は、図１６の変形ガイド板２５における右側部２８と左側部２９に相当する寸法形状の２枚からなり、これらが間隔をおいてトップシート１９に接合されている。本構造によれば、着用時にクロッチ相対部１０が着用者のクロッチ部に挟まれて圧縮された場合、吸収体１５と一体に接合された右側部２８と左側部２９が折れ曲がることはなく、両側部２８，２９は吸収体１５と共に立ち上がる方向に変形し、両側部２８，２９の間にある吸収体１５との間に空隙部２が区画されるのでクロッチ相対部１０は前記Ｍ型乃至谷型となる。
【００６８】
８．吸収体製品としての具体的実施形態（図１９〜図２２）
本例は、以上説明したような形状・構造のクロッチ相対部１０を有する吸収体製品であるテープ型のおむつに関するものであり、図１９（ａ），（ｂ）はクロッチ相対部１０に前記Ｍ型の構造を賦型する前の平面図およびクロッチ相対部１０における横断面図であり、図２０（ａ），（ｂ）は前記Ｍ型の構造を賦型した後の平面図およびクロッチ相対部１０における横断面図である。図２１は、図１９および図２０に示す工程で製造されたおむつの構造例の展開平面図であり、図２２は図２１における横断面図である。
【００６９】
このおむつ４０は、シート状の防漏体である略矩形のバックシート１６と、着用者の肌に接する略矩形で液透過性のトップシート１９との間に、これら両シートよりも小さい矩形の吸収体１５が収納されて外縁が封じられてなる本体から構成されており、着用時に着用者の腹部に相対する前部１１と着用者のクロッチ部に相対するクロッチ相対部１０と着用者の背部に相対する後部１２において着用者の下半身に装着され、着用者の胴体の両側面において着脱可能なテープ４１で前部１１と後部１２が接続されることにより着用されるものである。
【００７０】
図１９および図２０に示すように、前部１１からクロッチ相対部１０を経て後部１２に至る本体の両側縁には、アウターギャザー２０が連続して形成されている。また、アウターギャザー２０よりも内方において、前部１１からクロッチ相対部１０を経て後部１２に至る本体の吸収体１５の内方上部には、側部伸縮帯１７が設けられている。側部伸縮帯１７は、本体に接続されて内方に向けて立ち上げられた不織布からなる帯体と、その帯体の上端縁に設けられたゴム等の弾性体からなり、アウターギャザー２０と共に着用者の肌に密着して液漏れを防ぐものである。
【００７１】
図１９（ａ）および図２０（ａ）に示すように、一対の側部伸縮帯１７，１７は、前部１１（図中上部）を頂点とする逆Ｖ字形となるように配設されているため、一対の側部伸縮帯１７，１７の各前端部と前部１１の吸収体との間には着用者の尿が流入するポケット４２が構成され、また一対の側部伸縮帯１７，１７の間隔は前部１１に行くほど狭く、後部１２に行くほど広くなっている。すなわち、図１９（ａ）に示すように、側部伸縮帯１７，１７の間隔は、ポケット４２よりもクロッチ相対部１０に近い前部１１での値Ｘ1 と、クロッチ相対部１０における値Ｘと、後部１２における値Ｘ2 では、Ｘ1 ＜Ｘ＜Ｘ2 となっており、さらに図２０（ａ）に示すようにクロッチ相対部１０の空隙部２が開口している開口幅よりも、クロッチ相対部１０における一対の側部伸縮帯１７，１７の間隔Ｘの方が大きくなっている。
【００７２】
図１９に示すように、平坦な吸収体１５を用いて上記おむつ４０を製造した後、図２０に示すようにクロッチ相対部１０を左右方向から圧縮し、クロッチ相対部１０を横断面にて前記Ｍ型に成形すると、図２１に示す展開平面図のようなおむつ４０が得られる。図２１中に示す３箇所の切断線Ｘ1 −Ｘ1 ’，Ｘ2 −Ｘ2 ’，Ｘ3 −Ｘ3 ’における断面図を図２２（ａ），（ｂ），（ｃ）に示す。
【００７３】
本例の構造のようなおむつ４０によれば、吸収体１５に近接して設けられた一対の側部伸縮帯１７，１７は、前部１１にポケット４２を構成しつつ、クロッチ相対部１０の空隙部２をはさむような適当な間隔で配置されている。従って、着用者の排出する尿は一対の側部伸縮帯１７，１７で囲われた前部１１のポケット４２に流入するので前端での漏れは発生しにくく、さらに尿は前部１１の吸収体１５に吸収される他、ポケット４２からクロッチ相対部１０の空隙部２を通って後部１２に移動し、クロッチ相対部１０および後部１２の吸収体１５にも吸収されるので吸収体１５の全量が効率よく液の吸収に供されることとなり、一層漏れが発生しにくくなる。
【００７４】
９．吸収体製品としての具体的実施形態（図２３および図２４）
本例は、前述したような形状・構造のクロッチ相対部１０を有する吸収体製品としてのテープレス型のおむつ５０に関するものであり、図２３は展開した平面図、図２４（ａ）は図２３のＸ−Ｘ’切断線における横断面図、図２４（ｂ）は図２３のＹ−Ｙ’切断線における縦断面図である。
【００７５】
図２３に示すおむつ５０はテープレス型（パンツタイプ）であり、図はその展開形状を示すものである。このおむつ５０は、シート状の防漏体である略矩形のバックシート１６の内面側に、バックシート１６よりも小さい折りたたんだ吸収体１５を配置してなる本体を有している。
【００７６】
図２４（ａ）および（ｂ）に示すように、バックシートと吸収体から構成された本体は、クロッチ相対部１０だけでなく、前部１１からクロッチ相対部１０を経て後部１２に至る全体にわたって折りたたまれて折り返し部分が連続して形成されており、前部１１からクロッチ相対部１０を経て後部１２に連通するチャネル状の空隙部２を備えた前記Ｍ型乃至谷型に成形されている。
【００７７】
このような構造は、具体的にはあらかじめシート状に成形されたＳＡＰシート（たとえばメガシンと称される日本吸収体技術研究所製のシート状吸収体）を図２４（ａ）の断面図に示すように全面に亘って折りたたんで構成することができる。
図２３および図２４（ａ）に示すように、前部１１からクロッチ相対部１０を経て後部１２に至る連通チャネルを有する本体の両側縁には、着用者の肌に当接する側部伸縮帯１７が連続して形成されている。
【００７８】
本体の前部１１および後部１２には、着用時に着用者のウェストに装着される伸縮性のウェストバンド５１が、本体の矩形長手方向に直交してそれぞれ一体に取り付けられており、これら一対のウェストバンド５１，５１の各両端が互いに接合されてパンツ形態を構成する。また、図２３および図２４（ｂ）に示すように、ウェストバンド５１と本体の前部１１との間には、前ポケット５２が形成され、ウェストバンド５１と本体の後部１２との間には、後ポケット５３が形成される。
【００７９】
図２３および図２４に示すように、このおむつ５０は、前部１１とクロッチ相対部１０の間に着用者の尿をクロッチ相対部１０の空隙部２に導く液ガイドユニット５４が設けられている。この液ガイドユニット５４は、本体の半分ほどの長さであり、本体のクロッチ相対部１０の空隙部２の開口幅よりも大きい幅（図示では約３倍）を有する矩形のテープであり、着用者の尿道口に近接して取り付けられ、尿をより後方へとガイドする役割を演ずる。液ガイドユニット５４は、その前端部が前ポケット５２の内部で前方のウェストバンド５１に結合され、その後端部はクロッチ相対部１０に結合されて空隙部２に相対するように取り付けられている。
【００８０】
着用時には、本体とウェストバンド５１の間にあるレッグホールから脚を通し、本体を着用者のクロッチ部を中心として下半身の腹部および背部に装着する。ウェストバンド５１が着用者の胴回りに接触するとともに、本体の側部伸縮帯１７が着用者の脚の付け根周りの肌に接触し、また着用者の尿道口付近が液ガイドユニット５４に接触する。本体の前部１１、クロッチ相対部１０、後部１２は、それぞれ着用者の腹部、クロッチ部、背部に相対する。
【００８１】
本例の構造のようなおむつ５０によれば、着用者の排出する尿は前部１１の吸収体１５に吸収され、前部１１には前ポケット５２があるので前端での漏れは発生しにくい。さらに尿は液ガイドユニット５４に案内されて尿排出口からクロッチ相対部１０の空隙部２を通って後部１２に移動し、吸収体１５にも吸収されるので吸収体１５の全量が効率よく液の吸収に供されることとなり、一層漏れが発生しにくくなる。なお、着用者の姿勢の変化等により、液ガイドユニット５４上に排出された尿が後部１２に導かれず、前方に流れたとしても、図２３に示すように液ガイドユニット５４の前端には三日月状のスリットが戻り口５５（リターンゾーン）として形成されているので、尿はこの戻り口５５から前部１１の吸収体上に落ちて吸収され、前ポケット５２からさらに外へと漏れてしまうことはない。
【００８２】
１０．吸収体製品としての具体的実施形態（図２５および図２６）
本例は、前述したような形状・構造のクロッチ相対部１０を有する吸収体製品としてのテープレス型のおむつ５０に関するものであり、図２５は展開した平面図、図２６（ａ）は図２５のＸ−Ｘ’切断線における横断面図、図２６（ｂ）は図２５のＹ−Ｙ’切断線における縦断面図である。
【００８３】
図２５に示すおむつ５０はパンツ形態のテープレス型（パンツタイプ）であり、図はその展開形状を示すものである。このおむつ５０は、図２３に示すおむつ５０と略同様の連通するチャネルと側縁帯を持つ構造であるが、前記液ガイドユニット５４はなく、クロッチ相対部１０（又は前部１１と後部１２の間）に、着用者の尿を収容する前部１１と便を収容する後部１２とを分割するための分離セパレータ５６が設けられている。分離セパレータ５６は、液不透過性のシートからなり、バックシート１６と一体に構成された一対の側部伸縮帯１７，１７の間を架橋するように取り付けられ、本体に対して略垂直に立ち上がる壁状の構造である。
【００８４】
図２６に示すように、分離セパレータ５６の下端には、便受けシート５７が一体に後端部に向かって連続して設けられており、便受けシート５７は後部１２に引き回されて後部１２の吸収体１５上に配置され便専用の収容部を形成している。すなわち、便受けシート５７は後部１２の吸収体１５と上下に隔離され、上部の便受けシート上に収容された便が下部の吸収体に吸収される尿とは接触しない配置関係にあり、前部１１から移動してきた尿は便受けシート５７と後部１２の吸収体１５との間に拡散・浸透して後部１２の吸収体１５に吸収される。
【００８５】
着用時には、本体とウェストバンド５１の間にあるレッグホールから脚を通し、本体を着用者のクロッチ部を中心として下半身の腹部および背部に装着する。ウェストバンド５１が着用者の胴回りに接触するとともに、本体の側部伸縮帯１７が着用者の脚の付け根周りの肌に接触し、また着用者の会陰付近が分離セパレータ５６に接触する。本体の前部１１、クロッチ相対部１０、後部１２は、それぞれ着用者の腹部、クロッチ部、背部に相対する。
【００８６】
本例の構造のようなおむつ５０によれば、着用者の排出する尿は前部１１の吸収体１５に吸収され、前部１１には前ポケット５２があるので前端での漏れは発生しにくい。さらに尿は前部１１からクロッチ相対部１０の空隙部２を通り、分離セパレータ５６の下側を潜って便受けシート５７と後部１２の吸収体１５の間に入り込み、クロッチ相対部１０および後部１２の吸収体１５にも吸収されるので吸収体１５の全量が効率よく液の吸収に供されることとなり、一層漏れが発生しにくくなる。
【００８７】
１１．吸収体製品としての具体的実施形態（図２７および図２８）
本例は、前述したような形状・構造のクロッチ相対部１０を有する吸収体製品としてのテープレス型のおむつ５０に関するものであり、図２７は展開した平面図、図２８（ａ）は図２７のＸ−Ｘ’切断線における横断面図、図２８（ｂ）は図２７のＹ−Ｙ’切断線における縦断面図である。
【００８８】
図２７に示すおむつ５０はパンツ形態のテープレス型（パンツタイプ）であり、図はその展開形状を示すものである。このおむつ５０は、図２５に示す分離セパレータ５６および便受けシート５７を有するおむつ５０と略同様の構造であるが、さらにスキンコンタクトシート５８が設けられている点が異なる。
【００８９】
図２７および図２８に示すように、スキンコンタクトシート５８は前部１１、クロッチ相対部１０、後部１２にわたって吸収体１５およびその空隙部２の開口の上方に設けられたシートであり、分離セパレータ５６を境として吸収体１５の前方に対応する位置には尿専用通過用開口部５９が形成され、吸収体１５の後方に対応する位置には便専用通過用開口部６０が形成されている。両開口部５９，６０の周囲の少なくとも一部には開口部伸縮材６１が設けられており、着用者の肌に接した両開口部５９，６０から液等が逆流して着用者の肌を汚損することがないように構成されている。
【００９０】
着用時には、本体とウェストバンド５１の間にあるレッグホールから脚を通し、本体を着用者のクロッチ部を中心として下半身の腹部および背部に装着する。ウェストバンド５１が着用者の胴回りに接触するとともに、本体の側部伸縮帯１７が着用者の脚の付け根周りの肌に接触し、またスキンコンタクトシート５８は着用者の腹部、クロッチ部、背部に接触する。
【００９１】
本例の構造のようなおむつ５０によれば、着用者の排出する尿はスキンコンタクトシート５８の尿通過用開口部５９から前部１１の吸収体１５に吸収され、前部１１には前ポケット５２があるので前端での漏れは発生しにくい。さらに尿は前部１１からクロッチ相対部１０の空隙部２を通り、分離セパレータ５６の下側を潜って便受けシート５７と後部１２の吸収体１５の間に入り込み、後部１２の吸収体１５にも吸収されるので吸収体１５の全量が効率よく液の吸収に供されることとなり、一層漏れが発生しにくくなる。もし排出された尿や便の全量が開口に収容されず、その一部がスキンコンタクト上に残留する事態が発生しても、図２７および図２８（ｂ）に示すように、スキンコンタクトシート５８の両側縁に沿って液の透過域が設けられ、さらに前端および後端には長楕円状のスリットが戻り口５５（リターンゾーン）として形成されているので、尿はこの戻り口５５から前部１１又は後部１２の吸収体１５上に落ちて吸収され、外へと漏れてしまうことはない。着用者の排出する便はスキンコンタクトシート５８の便通過用開口部６０から後部１２の吸収体１５上の便受けシート５７上に落ち、尿と分離して保持される。
【００９２】
なお、以上の説明においては、本発明に係る吸収体製品として特にパンツタイプのおむつ５０とテープタイプのおむつ４０を例示したが、もちろん本発明の適用範囲はこれに限定されるものではなく、クロッチ部の前後にわたって着用される形態の吸収体製品であれば女性対象製品、ペット対象製品であっても本発明の適用対象となる。
【００９３】
以上説明したように、本発明の吸収体製品によれば、着用者の下半身においてクロッチ部の前後にわたって着用される吸収体製品において、クロッチ相対部が着用時に空隙部を有する特殊な形態となるために、吸収体製品内に排出される尿が前部から空隙部を通って後部にも流入することができるので、吸収体製品として有している吸収体の全量を効率的に利用することができ、漏れが生じにくい。このようなクロッチ相対部の特殊な形態とともに、実施形態で説明したように側部伸縮帯、液ガイドユニット、分離セパレータ、便受けシート、スキンコンタクトシート等を設ければ、クロッチ相対部の空隙部による効果と相俟って、さらに漏れが防止され、吸収体による吸収の効率化が一層促進される。
【図面の簡単な説明】
【００９４】
【図１】図１は、本発明の課題および解決手段を得る契機となった本発明者の行った実験で供試体とされた吸収体製品の平面図である。
【図２】図２は、前記実験において使用されたクリップの正面図および側面図である。
【図３】図３は、前記実験において使用された傾斜試験台およびこれを用いた前記実験の実施状況を示す正面図である。
【図４】図４は、前記実験においてクロッチ相対部の幅の設定の態様を示す図である。
【図５】図５は、前記実験において設定したクロッチ相対部の種々の変形パターンを示す横断面図である。
【図６】図６は、前記実験において設定したクロッチ相対部の種々の変形パターンのうち、本発明の課題を解決しうる形態を示す横断面図である。
【図７】図７は、本発明の実施形態に係る吸収体製品のクロッチ相対部の横断面図である。
【図８】図８は、本発明の実施形態に係る吸収体製品のクロッチ相対部の横断面図である。
【図９】図９は、本発明の実施形態に係る吸収体製品のクロッチ相対部に設けられるガイドスペーサ５の横断面図である。
【図１０】図１０は、本発明の実施形態に係る吸収体製品と着用者のクロッチ部付近との関係を示す正面側から見た部分断面図である。
【図１１】図１１は、着用者のクロッチ部付近に対する本発明の実施形態に係る吸収体製品の位置関係を示す図である。
【図１２】図１２は、着用者にとっての前後方向に対して直交する切断面における本例吸収体製品のクロッチ相対部における横断面図である。
【図１３】図１３は、着用者にとっての前後方向に対して直交する切断面における本例吸収体製品のクロッチ相対部における横断面図である。
【図１４】図１４は、着用者にとっての前後方向に対して直交する切断面における本例吸収体製品のクロッチ相対部における横断面図であり、（ａ）は着用前の図、（ｂ）は着用時の図である。
【図１５】図１５は、着用者にとっての前後方向に対して直交する切断面における本例吸収体製品のクロッチ相対部における横断面図であり、（ａ）は着用前の図、（ｂ）は着用時の図である。
【図１６】図１６は、変形ガイド板を有する吸収体製品のクロッチ相対部の寸法を含む具体的構造例を示す図であり、各図において分図（ａ），（ｂ）はそれぞれ平面図および横断面図である。
【図１７】図１７は、変形ガイド板を有する吸収体製品のクロッチ相対部の寸法を含む具体的構造例を示す図であり、各図において分図（ａ），（ｂ）はそれぞれ平面図および横断面図である。
【図１８】図１８は、変形ガイド板を有する吸収体製品のクロッチ相対部の寸法を含む具体的構造例を示す図であり、各図において分図（ａ），（ｂ）はそれぞれ平面図および横断面図である。
【図１９】図１９（ａ），（ｂ）は、クロッチ相対部に前記Ｍ型の構造を賦型する前の平面図およびクロッチ相対部における横断面図である。
【図２０】図２０（ａ），（ｂ）は、前記Ｍ型の構造を賦型した後の平面図およびクロッチ相対部における横断面図である。
【図２１】図２１は、図１９および図２０に示す工程で製造されたおむつの構造例の展開平面図である。
【図２２】図２２（ａ），（ｂ），（ｃ）は、それぞれ図２１における３箇所の切断線Ｘ1 −Ｘ1 ’，Ｘ2 −Ｘ2 ’，Ｘ3 −Ｘ3 ’における横断面図である。
【図２３】図２３は、本発明の実施形態に係る吸収体製品としてのテープレス型のおむつを展開した平面図である。
【図２４】図２４（ａ）は、図２３のＸ−Ｘ’切断線における横断面図、同図（ｂ）は、図２３のＹ−Ｙ’切断線における縦断面図である。
【図２５】図２５は、本発明の実施形態に係る吸収体製品としてのテープレス型のおむつを展開した平面図である。
【図２６】図２６（ａ）は、図２５のＸ−Ｘ’切断線における横断面図、同図（ｂ）は、図２５のＹ−Ｙ’切断線における縦断面図である。
【図２７】図２７は、本発明の実施形態に係る吸収体製品としてのテープレス型のおむつを展開した平面図である。
【図２８】図２８（ａ）は、図２７のＸ−Ｘ’切断線における横断面図、同図（ｂ）は、図２７のＹ−Ｙ’切断線における縦断面図である。
【図２９】図２９（ａ）は、従来のテープレス型の吸収体製品の着用前の平面図であり、同図（ｂ）はその着用時の変形状態を示す平面図である。
【符号の説明】
【００９５】
１…側部
２…空隙部
５…ガイドスペーサ
１０…クロッチ相対部
１１…前部
１２…後部
１５…吸収体
１６…防漏体としてのバックシート
１７…側部伸縮帯
１９…トップシート
２０…アウターギャザー
２１…インナーギャザー
２５…変形ガイド板
４０…吸収体製品としてのおむつ
５０…吸収体製品としてのおむつ
５４…液ガイドユニット
５６…分離セパレータ
５７…便受けシート
５８…スキンコンタクトシート
【図１】
0005142014.tif 000003
【図２】
0005142014.tif 000004
【図３】
0005142014.tif 000005
【図４】
0005142014.tif 000006
【図５】
0005142014.tif 000007
【図６】
0005142014.tif 000008
【図１１】
0005142014.tif 000009
【図１６】
0005142014.tif 000010
【図１７】
0005142014.tif 000011
【図１８】
0005142014.tif 000012
【図２２】
0005142014.tif 000013
【図２４】
0005142014.tif 000014
【図２５】
0005142014.tif 000015
【図２７】
0005142014.tif 000016
【図２９】
0005142014.tif 000017
【図７】
0005142014.tif 000018
【図８】
0005142014.tif 000019
【図９】
0005142014.tif 000020
【図１０】
0005142014.tif 000021
【図１２】
0005142014.tif 000022
【図１３】
0005142014.tif 000023
【図１４】
0005142014.tif 000024
【図１５】
0005142014.tif 000025
【図１９】
0005142014.tif 000026
【図２０】
0005142014.tif 000027
【図２１】
0005142014.tif 000028
【図２３】
0005142014.tif 000029
【図２６】
0005142014.tif 000030
【図２８】
0005142014.tif 000031